(57)【要約】【課題】全体が複雑な曲線で囲まれた平面形状を有する手鏡であっても、その平面形状の連続性を損なうことなく、手鏡本体と蓋体とを開閉できる携帯用手鏡を提供する。【解決手段】本考案の携帯用手鏡１は、鏡板５が嵌め込まれた手鏡本体２と、その手鏡本体２に被せられる蓋体３とを具備する。手鏡本体２と蓋体３とは、それら両者の端部近傍１ヶ所にて、両者の当接面に直交するリベット状或いはハトメ状の軸部材７を介して連結され、該当接面と平行に回動しうるように保持される。【選択図】図１
0003163871.tif 000002
【実用新案登録請求の範囲】
【請求項１】
鏡板が嵌め込まれた手鏡本体と、その手鏡本体に被せられる蓋体とを具備し、前記手鏡本体と蓋体とが、それら両者の端部近傍１ヶ所にて両者の当接面に直交する軸部材を介して連結されることにより、前記手鏡本体と蓋体とが該当接面と平行に回動しうるように保持されたことを特徴とする携帯用手鏡。
【考案の詳細な説明】
【技術分野】
【０００１】
本考案は、鞄やポケットに入れて携帯し、化粧直しやコンタクトレンズの着脱等に際して用いる携帯用手鏡（コンパクトミラー）に関する。
【背景技術】
【０００２】
従来の一般的な携帯用手鏡は、合成樹脂等からなるケースに鏡板を嵌め込んだ手鏡本体と、その手鏡本体に被せられて鏡面を保護する蓋体とを具備する。手鏡本体と蓋体とは、例えば特許文献１、２等にも開示されているように、一端部のヒンジを介して二つ折り可能に枢着されている。
【先行技術文献】
【特許文献】
【０００３】
【特許文献１】特開２００７−１６７４９１号公報
【特許文献２】実登３１０２８５５号公報
【考案の概要】
【考案が解決しようとする課題】
【０００４】
前記従来のような二つ折り方式の携帯用手鏡は、その構造上、手鏡本体及び蓋体の一端部に、ヒンジを組み込むための直線状部分を設ける必要がある。特許文献１に開示されたような矩形の手鏡であれば、その一辺を利用して直線状のヒンジを無理なく組み込むことができるが、特許文献２に開示されたような円形の手鏡の場合は、ヒンジを組み込むために円周部分の一部をカットして、そこに直線状の凹凸嵌合部を設ける必要がある。
【０００５】
つまり、従来の一般的な携帯用手鏡に採用されている手鏡本体と蓋体との二つ折り枢着構造は、一端部にヒンジを組み込むために手鏡全体の平面形状を部分的に損うおそれがあって、とくに全体が曲線で囲まれるような平面形状の手鏡には適さない。そこで、本考案は、手鏡本体及び蓋体が複雑な曲線で囲まれた平面形状を有していたとしても、その形状の連続性を損なうことなく、手鏡本体と蓋体とを開閉することのできる携帯用手鏡を提供するものである。
【課題を解決するための手段】
【０００６】
上記した目的を達成するため、本考案の携帯用手鏡は、鏡板が嵌め込まれた手鏡本体と、その手鏡本体に被せられる蓋体とを具備し、前記手鏡本体と蓋体とが、それら両者の端部近傍１ヶ所にて両者の当接面に直交する軸部材を介して連結されることにより、前記手鏡本体と蓋体とが該当接面と平行に回動しうるように保持されたことを特徴とする。
【考案の効果】
【０００７】
上述のように構成される本考案の携帯用手鏡は、手鏡本体と蓋体とが、両者の当接面に直交する軸部材を介して、該当接面と平行に回動することにより鏡面を開閉する。軸部材を設ける位置は１ヶ所で済み、その位置は鏡板の外側でありさえすれば特に制約されない。
【０００８】
つまり、本考案によれば、従来の二つ折り方式の手鏡とは異なり、一端部にヒンジを組み込むための直線状部分を設ける必要がない。したがって、手鏡全体が複雑な曲線で囲まれた平面形状を有していても、その形状の連続性を一切損なうことなく、手鏡本体と蓋体とを開閉自在に連結することができる。これにより、手鏡の形状に関するデザイン面での自由度が格段に大きくなる。
【図面の簡単な説明】
【０００９】
【図１】本考案の実施形態に係る携帯用手鏡の平面図であって、（ａ）は鏡面を閉じた状態、（ｂ）は鏡面を開いた状態をそれぞれ示す。
【図２】前記携帯用手鏡における軸部材の構造を拡大して示すＡ−Ａ断面図である。
【図３】本考案の他の実施形態に係る携帯用手鏡の平面図である。
【図４】本考案のさらに他の実施形態に係る携帯用手鏡の平面図である。
【考案を実施するための形態】
【００１０】
以下、本考案の実施の形態について図を参照して説明する。
【００１１】
図１（ａ）及び（ｂ）に示した携帯用手鏡１は、全体として平面視円形の形状をなしている。この携帯用手鏡１を構成する手鏡本体２及び蓋体３は、いずれも表裏略平坦で、互いに重なり合う大きさに形成されている。
【００１２】
手鏡本体２は、合成樹脂製のケース４と、該ケース４に嵌め込まれた鏡板５とを有している。鏡板５は、図２に示すように、ケース４の表面に形成された平面視円形の浅い凹部６内に嵌め込まれ、鏡板５の表面をケース４の表面よりも僅かに沈めた状態で凹部６内に接着されている。
【００１３】
蓋体３は、合成樹脂製の成形体に適宜の彩色や模様を施して形成されている。蓋体３の表面には多少、立体的な装飾が設けられていてもよい。
【００１４】
本考案の要部は、手鏡本体２と蓋体３とが、それらの端部近傍１ヶ所に設けられた軸部材７を介して連結される点にある。図２に、該軸部材７を含む連結箇所の断面構造を拡大して示す。軸部材７は、例えばピン、リベット、ハトメ、ボルトナット、或いはこれらに類する部材からなり、その軸部材７が、手鏡本体２及び蓋体３を、それらの当接面に直交する方向、つまり手鏡本体２及び蓋体３の厚み方向に貫通するように設けられる。
【００１５】
なお、図２に示した形態にあっては、軸部材７に中空筒状のハトメが用いられており、そのハトメの下端が、手鏡本体２の裏面に凹設されたテーパ状の座ぐり部８内に納められて、手鏡本体２の裏面よりも突出しないように形成されている。
【００１６】
このような軸部材７を介して手鏡本体２と蓋体３とを連結することにより、手鏡本体２と蓋体３とが、それらの当接面と平行な面内で互いに回動し得るように保持される。そして、図１（ｂ）に示すように、手鏡本体２と蓋体３とを相対的に回動させて該当接面をずらすと、手鏡本体２の鏡面を開くことができる。
【００１７】
図３及び図４は、本考案の他の実施形態を示す。図３に示した携帯用手鏡１は、桜の花を模した平面形状をなしており、その中央に平面視円形の鏡板５が嵌め込まれている。軸部材７は、鏡板５よりも外側の、一つの花びらの先端近傍に設けられている。
【００１８】
また、図４に示した携帯用手鏡１は、兎の顔を模した平面形状をなしており、その中央に平面視円形の鏡板５が嵌め込まれている。そして、軸部材７は、やはり鏡板５よりも外側の、兎の片耳の先端近傍に設けられている。
【００１９】
これらの携帯用手鏡１において、手鏡本体２の平面形状と蓋体３の平面形状とは、必ずしも合致していなくてよい。また、鏡板５の平面形状も円形に限定されものではなく、手鏡全体の平面形状に応じて適宜、変形されてもよい。そして、軸部材７の位置も、基本的には鏡板５の外側であって、蓋体３の回動により鏡板５を無理なく露出させることができる位置でありさえすれば、特に制約なく選定することができる。また、手鏡本体２と蓋体３との相対的な回動範囲（回動角度）も特に制限されることはない。
【００２０】
このように本考案を利用すれば、従来のような二つ折り方式に比べて、手鏡全体の平面形状に関する構造的な制約がなくなるので、外周部分が全て複雑な曲線で囲まれたような平面形状であっても自由自在にデザインすることが可能になる。
【符号の説明】
【００２１】
１  携帯用手鏡
２  手鏡本体
３  蓋体
５  鏡板
７  軸部材
【図１】
0003163871.tif 000003
【図２】
0003163871.tif 000004
【図３】
0003163871.tif 000005
【図４】
0003163871.tif 000006